(57)【特許請求の範囲】
【請求項１】
被検体に向けてＸ線を照射するＸ線管と、前記Ｘ線管から照射され前記被検体を通過したＸ線を検出するフラットパネル型Ｘ線検出器と、を備えたＸ線撮影装置において、
前記フラットパネル型Ｘ線検出器におけるＸ線検出領域のうち、構造物と対向するＸ線検出領域端部の無効データ領域の画素値を、無効データ領域以外の有効データ領域の画素値に置換することにより、フラットパネル型Ｘ線検出器による画像データを補正する画像データ補正手段と、
前記画像データ補正手段により補正した画像データを画像処理する画像処理手段と、
を備えたことを特徴とするＸ線撮影装置。
【請求項２】
請求項１に記載のＸ線撮影装置において、
前記画像データ補正手段は、無効データ領域の画素値をそれらの無効データ領域と対称となる位置に配置された有効データ領域の画素値に置換する鏡像補間、無効データ領域の画素値をそれらの無効データ領域に隣接する有効データ領域の端部の画素値に置換する端画素補間、無効データ領域の画素値を有効データ領域のうちの予め設定した領域の画素値で置換する固定値補間のいずれかを利用して、無効データ領域の画素値を置換するＸ線撮影装置。
【発明の詳細な説明】
【技術分野】
【０００１】
この発明は、被検体に向けてＸ線を照射するＸ線管と、このＸ線管から照射され被検体を通過したＸ線を検出するフラットパネル型Ｘ線検出器とを備えたＸ線撮影装置に関する。
【背景技術】
【０００２】
このようなＸ線撮影装置に利用されるフラットパネル型Ｘ線検出器は、フラットパネルディテクタ（ｆｌａｔ  ｐａｎｅｌ  ｄｅｔｅｃｔｏｒ）とも呼称されるものであり、ＴＦＴ（薄膜トランジスター）上にＸ線変換膜が積層された構成を有し、Ｘ線をＸ線変換膜を利用して電気信号に変換するものである。この電気信号は画像処理部において画像処理され、Ｘ線画像が作成される。
【０００３】
ところで、このようなフラットパネル型Ｘ線検出器によりＸ線撮影を行うときに、フラットパネル型Ｘ線検出器の端部に、例えば、パネル等の構造物が存在する場合がある。このような場合には、フラットパネル型Ｘ線検出器で検出した画像のうち、構造物に相当する領域は、無効データ領域となる。
【０００４】
特許文献１には、このような無効データ領域を利用してキャリブレーションを行った場合の弊害を防止するため、Ｘ線照射領域がキャリブレーションの際に設定された有効領域を越えないようにしたＸ線撮影装置が開示されている。
【先行技術文献】
【特許文献】
【０００５】
【特許文献１】特開２０１０−９４３６９号公報
【発明の概要】
【発明が解決しようとする課題】
【０００６】
フラットパネル型Ｘ線検出器の縦横の画素数は、画像処理の都合上、一般的に２のｎ乗となっている。また、画像処理において、例えば画像のサイズを１／６４に縮小する処理等を容易に行うため、フラットパネル型Ｘ線検出器の縦横の画素数は、２の６乗である６４で割り切れる値となっていることが多い。このようなフラットパネル型Ｘ線検出器においては、フィルタリング処理や拡大縮小処理等の画像処理時には、有効データ領域のみではなく、無効データ領域をも使用して画像処理を行う必要がある。
【０００７】
このとき、その端部に無効データ領域を含むＸ線検出領域全体を画像処理した場合には、有効データ領域の処理を行う場合に無効データ領域のデータを参照することから、有効データ領域の画像処理結果が無効データ領域のデータの影響を受けることに起因して、撮影画像の端部における画像の視認性が低下するという問題が生ずる。
【０００８】
この発明は上記課題を解決するためになされたものであり、フラットパネル型Ｘ線検出器の端部に構造物が存在した場合においても、正確に画像を表示することが可能なＸ線撮影装置を提供することを目的とする。
【課題を解決するための手段】
【０００９】
請求項１に記載の発明は、被検体に向けてＸ線を照射するＸ線管と、前記Ｘ線管から照射され前記被検体を通過したＸ線を検出するフラットパネル型Ｘ線検出器と、を備えたＸ線撮影装置において、前記フラットパネル型Ｘ線検出器におけるＸ線検出領域のうち、構造物と対向するＸ線検出領域端部の無効データ領域の画素値を、無効データ領域以外の有効データ領域の画素値に置換することにより、Ｘ線検出器による画像データを補正する補正手段と、前記画像データ補正手段により補正した画像データを画像処理する画像処理手段とを備えたことを特徴とする。
【００１０】
請求項２に記載の発明は、請求項１に記載の発明において、前記補正手段は、無効データ領域の画素値をそれらの無効データ領域と対称となる位置に配置された有効データ領域の画素値に置換する鏡像補間、無効データ領域の画素値をそれらの無効データ領域に隣接する有効データ領域の端部の画素値に置換する端画素補間、無効データ領域の画素値を有効データ領域のうちの予め設定した領域の画素値で置換する固定値補間のいずれかを利用して、無効データ領域の画素値を置換する。
【発明の効果】
【００１１】
請求項１に記載の発明によれば、Ｘ線検出領域端部の無効データ領域の画素値を有効データ領域の画素値に置換することにより、フラットパネル型Ｘ線検出器の端部に構造物が存在した場合においても正確に画像を表示することが可能となる。
【００１２】
請求項２に記載の発明によれば、鏡像補間、端画素補間または固定値補間により、Ｘ線検出領域端部の無効データ領域の画素値を、容易に有効データ領域の画素値に置換することが可能となる。
【図面の簡単な説明】
【００１３】
【図１】この発明に係るＸ線撮影装置の概要図である。
【図２】フラットパネル型Ｘ線検出器４のＸ線検出領域を示す平面図である。
【図３】この発明に係るＸ線撮影装置によるＸ線撮影後の画像表示動作を示すフローチャートである。
【図４】鏡像補間を示す説明図である。
【図５】端画素補間を示す説明図である。
【図６】固定値補間を示す説明図である。
【発明を実施するための形態】
【００１４】
以下、この発明の実施の形態を図面に基づいて説明する。図１は、この発明に係るＸ線撮影装置の概要図である。
【００１５】
このＸ線撮影装置は、被検体である患者１を載置するテーブル２と、Ｘ線管３と、Ｘ線管３に付与する管電圧等を制御する高電圧発生部５と、フラットパネル型Ｘ線検出器４と、後述する画像データ補正部６１および画像処理部６２を有するとともに装置全体を制御する制御部６と、ＣＲＴ等から構成される表示部８とを備える。
【００１６】
このＸ線撮影装置においては、Ｘ線管３からテーブル２上の患者１に向けてＸ線を照射し、患者１を通過したＸ線をフラットパネル型Ｘ線検出器４により検出し、検出されたＸ線に基づく画像データを画像データ補正部６１により補正するとともに、画像処理部６２により画像処理し、画像処理された画像データによる映像信号を利用して表示部８にＸ線画像を表示する。
【００１７】
図２は、フラットパネル型Ｘ線検出器４のＸ線検出領域を示す平面図である。
【００１８】
この実施形態に係るフラットパネル型Ｘ線検出器４の表面におけるＸ線検出領域は、１５３６行１５３６列（１５３６×１５３６）に配置された２３５９２９６個の画素（ピクセル）から構成されている。このフラットパネル型Ｘ線検出器４においては、例えば、画像のサイズを１／６４に縮小する画像処理等を容易に行うため、縦横の画素数は、２の６乗である６４で割り切れる値（１５３６）となっている。
【００１９】
そして、フラットパネル型Ｘ線検出器４においては、Ｘ線検出領域の周囲(上下左右)には、一般的にパネル等の構造物が配置されることから、これらの領域は無効データ領域となっている。この実施形態においては、図２にハッチングを付して示すように、Ｘ線検出領域の周囲(上下左右)の１０画素の領域が無効データ領域となっている場合を示している。
【００２０】
フラットパネル型Ｘ線検出器４において、これらの無効データ領域を含むＸ線検出領域全体を画像処理した場合には、有効データ領域の処理を行う場合に無効データ領域のデータを参照することから、有効データ領域の画像処理結果が無効データ領域のデータの影響を受けることに起因して、撮影画像の端部における画像の視認性が低下するという問題が生ずる。このため、この発明に係るＸ線撮影措置においては、無効データ領域の画素値を無効データ領域以外の有効データ領域の画素値に置換することにより画像データを補正した後に、画像処理を実行するようにしている。
【００２１】
以下、この発明に係るＸ線撮影装置によるＸ線撮影動作について説明する。図３は、この発明に係るＸ線撮影装置によるＸ線撮影後の画像表示動作を示すフローチャートである。
【００２２】
最初に、制御部６に対して画像を入力する(ステップＳ１)。すなわち、Ｘ線管３からテーブル２上の患者１に向けてＸ線を照射し、患者１を通過したＸ線をフラットパネル型Ｘ線検出器４により検出することにより撮影した画素値のデータを、画像データとして制御部６に取り込む。
【００２３】
次に、無効データ領域の画素値を無効データ領域以外の有効データ領域の画素値に置換する(ステップＳ２)。すなわち、図１に示す画像データ補正部６１により、フラットパネル型Ｘ線検出器４におけるＸ線検出領域のうち、図２においてハッチングを付した構造物と対向するＸ線検出領域端部の無効データ領域の画素値を、無効データ領域以外の有効データ領域の画素値に置換することにより、フラットパネル型Ｘ線検出器４による画像データを補正する。
【００２４】
この無効データ領域の画素値の置換は、無効データ領域の画素値をそれらの無効データ領域と対称となる位置に配置された有効データ領域の画素値に置換する鏡像補間、無効データ領域の画素値をそれらの無効データ領域に隣接する有効データ領域の端部の画素値に置換する端画素補間、無効データ領域の画素値を有効データ領域のうちの予め設定した領域の画素値で置換する固定値補間のいずれかを利用して実行される。
【００２５】
図４は、鏡像補間を示す説明図である。なお、この図においては、フラットパネル型Ｘ線検出器４における左端から一定領域の画素を、左端から数えた位置の番号を付して示している。また、この図においては、図２においてハッチングを付した無効データ領域を太線で示している。
【００２６】
この鏡像補間は、無効データ領域の画素値を、それらの無効データ領域と対称となる位置に配置された有効データ領域の画素値に置換するものである。図４に示すように、フラットパネル型Ｘ線検出器４の左端から１０画素の画素値が、１１番目の画素を中心として、１２番目の画素から２１番目の画素までの画素値となるように、対称に置換されている。この鏡像置換により、Ｘ線検出領域端部の無効データ領域の画素値を無効データ領域以外の有効データ領域の画素値に置換することが可能となる。
【００２７】
図５は、端画素補間を示す説明図である。なお、この図においても、フラットパネル型Ｘ線検出器４における左端から一定領域の画素を、左端から数えた位置の番号を付して示している。また、この図においても、図２においてハッチングを付した無効データ領域を太線で示している。
【００２８】
この端画素補間は、無効データ領域の画素値をそれらの無効データ領域に隣接する有効データ領域の端部の画素値に置換するものである。図５に示すように、フラットパネル型Ｘ線検出器４の左端から１０画素の画素値が、１１番目の画素値となるように置換されている。この端画素補間によっても、Ｘ線検出領域端部の無効データ領域の画素値を無効データ領域以外の有効データ領域の画素値に置換することが可能となる。
【００２９】
図６は、固定値補間を示す説明図である。なお、この図においても、フラットパネル型Ｘ線検出器４における左端から一定領域の画素を、左端から数えた位置の番号を付して示している。また、この図においても、図２においてハッチングを付した無効データ領域を太線で示している。
【００３０】
この固定値素補間は、無効データ領域の画素値を有効データ領域のうちの予め設定した領域の画素値で置換するものである。図６に示すように、フラットパネル型Ｘ線検出器４の左端から１０画素の画素値が、この実施形態では９０番目の画素値となるように置換されている。この設定領域としては、例えば、有効データ領域においてＸ線が適正線量となった領域の画素を選択することができる。この固定値補間によっても、Ｘ線検出領域端部の無効データ領域の画素値を無効データ領域以外の有効データ領域の画素値に置換することが可能となる。
【００３１】
再度、図３を参照して、無効データ領域の画素値の置換が終了すれば、画像処理を実行する(ステップＳ３)。この画像処理は、無効データ領域の画素値と置換することにより補正された画像データ全域に対して、図１に示す画像処理部６２により、フィルタリング処理や拡大縮小処理等のＸ線撮影後の検査に必要な各種の処理を行うものである。この画像処理時には、無効データ領域の画素値の置換が完了していることから、有効データ領域の画像処理結果が無効データ領域のデータの影響を受けることにより、撮影画像の端部における画像の視認性が低下することを有効に防止することが可能となる。
【００３２】
そして、画像処理が終了した画像データは、表示部８に出力され（ステップＳ４）、表示部８にＸ線撮影画像が表示される。
【００３３】
なお、上述した実施形態においては、フラットパネル型Ｘ線検出器４における上下左右の端縁から各１０画素の領域を無効データ領域として置換処理しているが、この無効データ領域は、上下左右方向に対称である必要はない。この無効データ領域は、フラットパネル型Ｘ線検出器４と対向する構造物の形状や大きさに対応させて、適宜、設定することができる。
【符号の説明】
【００３４】
１      患者
２      テーブル
３      Ｘ線管
４      フラットパネル型Ｘ線検出器
５      高電圧発生部
６      制御部
８      表示部
６１    画像データ補正部
６２    画像処理部
【図１】
0005682284.tif 000002
【図２】
0005682284.tif 000003
【図３】
0005682284.tif 000004
【図４】
0005682284.tif 000005
【図５】
0005682284.tif 000006
【図６】
0005682284.tif 000007